(57)【特許請求の範囲】
【請求項１】
お互いから間隔を空けられて平行に配置されたトラックのペアであって、各々は、ロアーレールに対して縦方向にずらし可能にガイドされ、ロアーレール上のロック装置によってロック可能なアッパーレールを有するものと、
アッパーレールに接続された座席構造と、
アッパーレールと実質的に垂直に伸びそこに結合された横方向サポートと、
をもった自動車座席のためのシートベースフレームであって、
横方向サポート（１１）が、アッパーレール（５）に対するその軸方向でサポートするようにお互いに対して衝突安定的なやり方でトラックのペア（２、３）を固定し、それと回転可能に接続され、ここでロック装置（１５）の調節のために、作動レバー（１０）と制御レバー（１８）が、お互いから距離をおいて捩り防止されたやり方で配置され、その各々が、ロアーレール（４）上にアッパーレール（５）を固定するロック位置と、横方向サポート（１１）上でロアーレール（４）に対してアッパーレール（５）を解放する解放位置の間で、ロック装置（１５）と係合可能であり、
フロントおよび／またはリア載置結合（７ａ、７ｂ、８ａ、８ｂ）が、アッパーレール（５）上に配置された載置結合ホルダー（６ａ、６ｂ、９）と接合されたやり方でそれぞれ接続されており、
横方向サポート（１１）がそれと回転可能に接続され、２つの反対側に配置された載置結合ホルダー（６ａ、６ｂ、９）、またはフロント載置結合ホルダー（６ａ、６ｂ）と、端部側上で軸方向に固定されていることを特徴とする、
自動車座席のためのシートベースフレーム。
【請求項２】
ドア側および車両中心のトラックのペア（２、３）の載置結合（７ａ、７ｂ、８ａ、８ｂ）が、座席構造またはシートパン（１２）がトラックのペア（２、３）と非対称的に配置されるように、異なる幾何学的形状を有することを特徴とする、請求項１によるシートベースフレーム。
【請求項３】
少なくとも１つのシートレール（２、３）の載置結合（７ａ、７ｂ、８ａ、８ｂ）、またはシートレール（２、３）の載置結合（７ａ、７ｂ、８ａ、８ｂ）の両方が、ドア側または車両中心に揃えられた曲がりを有することを特徴とする、請求項１または２によるシートベースフレーム。
【請求項４】
少なくとも１つのフロント載置結合（７ａ、７ｂ）が、横方向サポート（１１）と係合可能であることを特徴とする、請求項１から３のいずれか１つによるシートベースフレーム。
【請求項５】
横方向サポート（１１）と係合可能であるフロント載置結合（７ａ、７ｂ）が、横方向サポート（１１）の輪郭に調節された接触表面（２２）を有することを特徴とする、請求項１から４のいずれか１つによるシートベースフレーム。
【請求項６】
横方向サポートが、クロスチューブ（１１）によって形成されていることを特徴とする、請求項１から５のいずれか１つによるシートベースフレーム。
【請求項７】
クロスチューブ（１１）が、端部側フロント表面（２１）を介してアッパーレール（５）上によりかかる、またはフロント載置結合サポート（７ａ、７ｂ）の対向する内部表面上によりかかることを特徴とする、請求項１から６のいずれか１つによるシートベースフレーム。
【請求項８】
それぞれがロック装置（１５）と係合可能な作動レバー（１０）と制御レバー（１８）が、横方向サポートまたはクロスチューブ（１１）上で、溶接されているかまたはレーザー溶接されていることを特徴とする、請求項１から７のいずれか１つによるシートベースフレーム。
【発明の詳細な説明】
【技術分野】
【０００１】
発明は、お互いから間隔を空けられて平行に配置されたトラックのペアであって、各々は、ロアーレールに対して縦方向にずらし可能にガイドされ、ロアーレール上のロック装置によってロック可能なアッパーレールを有するものと、アッパーレールに接続された座席構造と、アッパーレールと実質的に垂直に伸びそこに結合された横方向サポートと、をもった自動車座席のためのシートベースフレームに関する。
【背景技術】
【０００２】
最初に言及したタイプのシートベースフレームは、技術分野の現状から様々なデザインで知られている。それらは一般に、ロック装置の手動での作動の後にシートベースフレームと接続された座席構造の縦方向の調節を許容し、座席構造と接続されたアッパーレールが、フロアに固定された、即ち車両フロア上にしっかり留められたロアーレールに対してずらされることができる。ロック装置はそれにより、自動車座席の選択された縦方向のセッティングにおいて、ロアーレール上のアッパーレールの、よってロアーレールに対する座席構造の、解放可能なロックを許容する。
【０００３】
特に、その座席構造、例えばシートパンが、トラックのペアに対して非対称的に配置されている、即ち、シートレールに対する設置位置における車両座席の座席構造が、車両の外または車両の中心の方向にずらされて配置されている、そのようなシートベースフレームは、但しそれらに限られたことではないが、アッパーレールの間に伸びて要求された強度を確かなものとする横方向サポートの使用を要求する。それは、シートベースフレームを補強する役目を果たし、特に車両の中心または外部に向けてアッパーレールに対する載置点とそれから漸増するオフセットをもたったトラックのペアに対する、座席構造の非対称的配置は、座席構造と共にトルクを引き起こし、それは、その崩壊のリスクを伴ったシートベースフレーム上の増加された負荷に、特に衝突のイベントにおいて、繋がる。
【０００４】
縦方向のずらし可能性、即ち、ロアーレールに対するアッパーレールのずらし、を可能とするために、それがアッパーレールをロアーレールに固定するロック位置からアッパーレールを解放する解放位置中まで可動であって、アッパーレールをロアーレールに対してずらすことができるように、ロック装置の操作を許容する作動手段を提供することも要求される。ロック装置がトラックのペアの両方上に普通に配置された後で、両ロック装置の作動の転送を可能とする、転送手段、例えば、転送シャフト、もそれから要求される。
【０００５】
安定化のための横方向サポートと、ロック装置を操作するための作動シャフトをもった既知のシートベースフレームは、それらが増加された設置スペースを要求するという不利点を有する。しかも、より多数のパーツがそのようなシートベースフレームについてのより高い製造コストを引き起こす。
【発明の概要】
【０００６】
発明の目的は、十分な強度とロック装置の作動能力をもった、より少ない設置スペースを要求する、シートベースフレームを提供することである。
【０００７】
発明の目的は、請求項１の特徴をもったシートベースフレームを通して達成される。発明の有利な更なる実施形態が、従属請求項に特定されている。
【０００８】
発明によるシートベースフレームの特徴は、横方向サポートが、アッパーレールに対するその軸方向でサポートするようにお互いに対して衝突安定的なやり方でトラックのペアを固定するが、同時にそれと回転可能に接続されることである。アッパーレールに対する横方向サポートの軸方向の固定は、トラックのペアのお互いに対する信頼性のあるサポートと、よってシートベースフレームの高い強度を確かなものとする。特に車両方向と直交する車両上の設置位置における、トラックのペアのお互いに向けての動きの結果としての、特に衝突のイベントにおける、シートベースフレームの崩壊は、これにより信頼性を持って防がれる。
【０００９】
シャフトのような横方向サポートの追加に存在する捩り可能性は、トラックのペアの縦軸の方向でアッパーレールをロアーレールに対して固定するロック装置を作動することへのその同時使用を可能とする。このために、作動レバーと制御レバーが、横方向サポート上にお互いから距離をおいて捩り防止されたやり方で配置され、その各々が、トラックのペアのロック装置と係合可能である。横方向サポートを越えてロック装置との係合エリア中まで伸びる作動レバーの、通例作動レバーが持ち上げられる通常は手動での作動は、横方向サポートの捩りに繋がり、ロック装置に対向する作動レバーの端部と、作動レバーと反対側に横たわる横方向サポートの端部のエリア中を横方向サポートから反対側に横たわるロック装置の係合エリア中にまで伸びる制御レバーが、ロック装置をそれらのロック位置からそれらの開放位置中に動かすようになっているので、ロアーレールに対するアッパーレールの縦方向のずらし可能性が可能である。
【００１０】
発明による実施形態はよって、所望の縦方向の調節の場合にロック装置の調節のための追加の転送手段を見合わせることを可能とする。発明による横方向サポートは、１つにはシートベースフレームを安定化するサポート機能を満たし、それはまたロック装置の作動を可能とする。追加の、コストを増加させる作動エレメントまたはそれぞれの安定化サポートエレメントは、よって見合わせることができる。発明によるシートベースフレームはよって、特に容易で費用効果のあるやり方で製造されることができ、トラックのペアの間のエリア中の小さな設置スペースのみを必要とする。
【００１１】
発明の最も単純な実施形態では、座席構造、例えばシートパンは、アッパーレールと直接的に接続され、それは特に費用効果のある車両座席の製造を可能とするが、しかしそれは通例座席の高さ調節のオプションを供しない。発明の特に有利な実施形態によると、フロントおよび／またはリア載置結合が、アッパーレール上に接合されたやり方で配置される。発明のこの更なる実施形態は、アッパーレールに対する座席構造の調節可能であるかまたはそれぞれ旋回可能な配置を可能とし、それはこのために、好ましくはアッパーレールから離れる方を向いたエリア中で、載置結合と接合されたやり方で接続される。座席アッパーレールに対する載置結合の旋回がそれから、アッパーレールに対する座席構造、例えばシートパンの距離変化に繋がり、よってこのシートベースフレームと接続された車両座席の調節能力を向上する。
【００１２】
発明の更なる実施形態に従って、各フロントおよび／またはリア載置結合が、アッパーレール上に配置された載置結合ホルダーと接合されたやり方で接続される。アッパーレール上に配置され、載置結合と接合されたやり方で接続された、載置結合ホルダーまたはそれぞれいくつかの載置結合ホルダーの使用は、シートベースフレームの適用エリアを増加し、その後はそれにより、特に好ましい更なる実施形態に従って、アッパーレールに対する座席構造の非対称的な配置も可能である。載置結合ホルダーはそれにより、曲がった形状を有することができ、それはお互いに向けてかお互いから離れてかのどちらかでトラックのペアに対する関連付けられた載置結合ホルダーとの載置結合の接続点をずらす。しかも、載置結合ホルダーは、接合された接続がアッパーレールから距離をおいて実現できるように、それらが例えば溶接を通してアッパーレール上に容易に配置されることができるという利点を有する。座席構造のまたは載置結合の配置のためのアッパーレールの調節は要求されない。
【００１３】
載置結合ホルダーの使用の場合には、横方向サポートが、軸方向で固定されて、２つの反対側に配置された載置結合ホルダー、好ましくはフロント載置結合ホルダーと、端部側上で捩り可能に接続されることが、発明の特に有利な更なる実施形態に従って更に提供される。この場合には、載置結合ホルダーは、接合されたやり方で載置結合を受け取る役目を果たすだけではなく、横方向サポートの捩り可能で軸方向に固定された受け取りの機能も満たす。横方向サポートを受け取るための載置結合ホルダーの使用はそれにより、アッパーレールの対応するデザインを見合わせることができるので、横方向サポートの固定を特別なやり方で容易にする。しかも、横方向サポートとの接触エリア中の載置結合ホルダーは、特別なやり方で調節できるので、横方向サポートの特に信頼性のある設置が保証される。
【００１４】
上で既に説明したように、発明の最も単純な実施形態では、座席構造はアッパーレールと直接的に接続される。有利な更なる実施形態に従って提供された載置結合の使用の場合には、ドア側および車両中心のトラックのペアの載置結合が、座席構造、特にシートパンがトラックのペアと非対称的に配置されるように特に、異なる幾何学的形状を有することが、発明の特に有利な実施形態に従って提供される。載置結合の使用は、例えば、トラックの２つのペアの載置結合がお互いとは異なるように曲げられているという事実のために、車両フロアと実質的に平行なトラックのペアによって形成された平面と垂直に進展する平面に対して、載置結合のアッパーレールとのかまたはそれぞれの載置結合ホルダーとの蝶番点が、載置結合の座席構造、特にシートパンとの蝶番点に対してずらされることを可能とする。座席構造のレールに対する非対称的な揃えに繋がるこのデザインは、座席構造のトラックのペアに対するドア側または車両中心に揃えられたずらしを引き起こすところのトラックのペアに対する増加する配置オフセットが要求される、車両製造者によって要求された仕様に、車両座席を最適に調節することを可能とする。
【００１５】
特にトラックのペアに対する座席構造の非対称的な揃えの場合には、アッパーレールまたはそれぞれの載置結合ホルダーに対する横方向サポートの軸方向で起こった横方向サポートの固定が、シートベースフレームの特定の強度を保証し、それはまた衝突のイベントにおいて起こる負荷の場合のシートベースフレームの崩壊を効果的に防ぐ。
【００１６】
少なくとも１つのシートレールの載置結合、好ましくはシートレールの載置結合の両方が、ドア側または車両中心に揃えられた曲がりを有し、それが座席構造の非対称的配置に繋がるところの、発明の有利に提供された実施形態に加えて、トラックのペアに対する座席構造の補助的ずらしが、曲がった載置結合ホルダーの使用を通して達成されることも更にできる。
【００１７】
発明の更なる実施形態に従って、少なくとも１つのフロント載置結合が、横方向サポートと係合するように持ち込まれることができる。発明のこの更なる実施形態に従って、トラックのペアに対する座席構造の高さ調節の結果として、載置結合が、横方向サポートと接触するようになることができる。シートベースフレームに対する座席構造の最大下げ位置が、それにより規定されることができる。しかも、発明のこの実施形態は、衝突のイベントにおける座席構造のたるみを防ぐので、シートベルトとエアバッグのような補助的安全システムが信頼性をもって展開することができる。
【００１８】
特に有利なことに、横方向サポートと係合可能であるフロント載置結合が、それにより横方向サポートの輪郭に調節された接触表面を有する。接触の場合において、例えば衝突のイベントにおいて、横方向サポート上に選択的に働く負荷が無く２次元的印加があることが、それにより確かなものとされ、それは載置結合から横方向サポートへの力の特に良好な転送を確かなものとする。
【００１９】
横方向サポートは、それがアッパーレール上で軸方向にその縦軸の方向でサポートされ、それがまたそれに対して旋回的に載置され、旋回可能性がロック装置に向かって作動レバー上に働いている調節の動きの転送を可能とすることが保証されている限り、一般的にあらゆるやり方でデザインされることができる。発明の特に有利な実施形態に従って、横方向サポートはしかしながら、クロスチューブによって形成され、それは様々な形状、プロファイル、構成等を有することができる。それは軸方向に特に単純なやり方で固定されることができ、あるいはアッパーレールかまたはそれぞれの載置結合ホルダー上に回転可能に配置されることができる。クロスチューブはまた、負荷方向に関係無く特定の強度を有する。
【００２０】
発明の特に有利な更なる実施形態に従って、クロスチューブは、端部側フロント表面を通してアッパーレール上に、特にフロント載置結合サポートの対向する内部表面上に、よりかかる。そのフロント表面をもったクロスチューブが、アッパーレール上に直接かまたは載置結合サポートの対向する表面上にそれぞれサポートされるところの発明の対応する実施形態は、特に信頼性のあるやり方で、トラックのペアに対するクロスチューブの縦軸方向で起こる固定を保証する。
【００２１】
発明の更なる実施形態に従って、ロック装置と係合可能な作動レバーと制御レバーの各々が、横方向サポート、特にクロスチューブに、溶接される、特にレーザー溶接される。ロアーレールに対するアッパーレールの縦方向調節が行われる場合には、オペレータは通常作動レバーをその端部のエリアで持ち上げ、それは横方向サポートの捩り動きを引き起こす。横方向サポートの捩り動きの結果として、作動ハンドルから横方向サポート上で伸びている作動レバーの端部と、横方向サポートの反対側のエリア中に配置された制御レバーが、各々ロック装置の作動エレメントと係合し、ロック装置がロアーレール上のアッパーレールの固定を引き起こす位置の向こう側にそれを押す。作動レバーと制御レバーの配置は主に自由に選択可能である一方で、発明のこの有利な更なる実施形態によると、溶接された接続、特にレーザー溶接された接続がしかしながら好ましく、それは作動レバーと制御レバーの横方向サポートとの捩り防止された接続を信頼性のあるやり方で保証する。
【００２２】
発明の例示的実施形態が、図面に基づいて以下により詳細に説明される。
【図面の簡単な説明】
【００２３】
【図１】図１は、シートベースフレームの斜視図を示す。
【図２】図２は、図１のシートベースフレームの更なる斜視図を示す。
【図３】図３は、その上に配置された座席構造無して図１のシートベースフレームの斜視図を示す。
【図４】図４は、図１のシートベースフレームの前面図を示す。
【図５】図５は、図３のシートベースフレームのトラックのペアの側面図を示す。
【図６】図６は、その上に配置された横方向サポートをもった図３のシートベースフレームのサイドレールの斜視図を示す。
【図７】図７は、載置結合ホルダーをもった図１中の横方向サポートの接続の分解表示を示す。
【発明を実施するための形態】
【００２４】
図１と２は、ドア側のトラックのペア２とトンネル側のトラックのペア３という２つのトラックのペアが、座席表面１２としてデザインされた座席構造を介して相互接続されている、シートベースフレーム１の実施形態の斜視図を示す。
【００２５】
トラックのペア２、３の各々は、車両フロア（ここでは図示せず）上に配置可能なロアーレール４と、ロアーレール４中にずらし可能に載置されたアッパーレール５を有する。ロアーレール４に対するアッパーレール５の縦方向のずらし可能性は、車両中の座席表面１２の縦方向の調節を可能とする。座席表面１２のずらし可能なアッパーレール５との接続のために、２つの載置結合７ａ、７ｂ、８ａ、８ｂが、一端では載置ボルト１３を介して座席表面１２と接合されたやり方で、他端ではこれも載置ボルト１３を介してアッパーレール５上に配置された載置結合ホルダー６ａ、６ｂ、９と接合されたやり方で、座席表面１２の両側上にそれにより接続されている。アッパーレール５の座席表面１２とのこれらの接合された接続は、トラックのペア２、３に対する座席表面１２の高さ調節を可能とする。
【００２６】
載置結合ホルダー６ａ、６ｂ、９は、アッパーレール５上にしっかり留められている、好ましくは溶接されている。トンネル側のトラックのペア３の方向に彎曲されたドア側のトラックのペア２のフロント載置結合ホルダー６ａのデザインは、それもトンネル側のトラックのペア３の方向に曲げられたドア側のトラックのペア２のフロントおよびリア載置結合７ａ、８ａのデザインとの関係で、座席表面１２がトラックのペア２、３に対して非対称的に配置されることに結果としてなる。これは、図４から特に見ることができるように、座席表面１２が、トンネル側のトラックのペア３の方向にずらされて配置されることを意味する。非対称性は、トンネル側のトラックのペア３のフロント載置結合ホルダー６ｂがアッパーレール５と実質的に垂直に伸びるが、フロント載置結合７ｂの座席構造１２との蝶番点は、載置結合７ａと同様にデザインされたその曲がりのために、ドア側のトラックのペア２から離れて向く方向にずらされる、ということによって補強される。トラックのペア２、３の後方エリアでは、リア載置結合８ａ、８ｂの接合された配置を可能とするリア載置結合ホルダー９が、アッパーレール５上に配置される。
【００２７】
ロック装置１５は、トラックのペア２、３の各々に付与される。ロック装置１５はそれにより、アッパーレール５上にずらし可能に配置されたロックピン１７を有し、その内の少なくとも１つのロックピン１７は、ロック位置においてロアーレール４中のいくつかの開口部（図示せず）の１つに係合し、よって各アッパーレール５をロアーレール４に対してロックする。
【００２８】
ロック装置１５のロック位置から、そこでロックピン１７がロアーレール４から離脱する解放位置へのずらしは、反対側に横たわるトラックのペア２、３の方向にロック装置１５から伸びている作動エレメント１６を介して行われ、その調節がロアーレール４と離脱した位置におけるロックピン１７のずらしを成し遂げる。
【００２９】
作動エレメント１６の調節のため、およびトラックのペア２、３のお互いに対する軸方向サポートのために、クロスチューブ１１がフロント載置結合ホルダー６ａ、６ｂの間に伸びる。クロスチューブ１１は、載置結合ホルダー６ａ、６ｂの対向する内部表面上のテーパー１９に接続するそのフロント表面２１でよりかかり、よってクロスチューブ１１の軸方向でそれに対して固定される。位置を確かなものとするためと、更にトラックのペア２、３に対する回転可能な配置のために、クロスチューブ１１はまた、載置結合ホルダー６ａ、６ｂを通して伸びておりクロスチューブ１１のフロント側のねじ開口部２４中にねじ止めされたねじ付きボルト１４を介して載置結合ホルダー６ａ、６ｂ上に固定されている。旋回的な載置のために、ねじ無しセクションをもったねじ付きボルト１４はそれにより、ブッシング２０が設けられている載置結合ホルダー６ａ、６ｂ中の開口部２３（図６と７参照）を通して伸びる。フロント載置結合ホルダー６ａ、６ｂ上のクロスチューブ１１の配置はよって、クロスチューブ１１が、トラックのペア２、３に対して軸方向で固定されて回転可能に載置されるようになっている。
【００３０】
クロスチューブ１１の回転可能な載置は、ロック装置１５を作動するのにそれを使うことを可能とする。このために、作動レバー１０が、クロスチューブ１１の一端のエリア中で、例示的実施形態ではトンネル側のトラックのペア３のエリア中で、クロスチューブ１１に溶接される。作動レバー１０は、ユーザにとってアクセス可能なフロントエリアから、トラックのペア３と平行にクロスチューブ１１の上を、トンネル側のトラックのペア３のロック装置１５の作動エレメント１６との係合エリア中にまで伸びる。作動レバー１０のフロント端の持ち上げがクロスチューブ１１の回転を引き起こし、フロント端と反対側に横たわりロック装置１５に付与された作動レバー１０のリア端が、作動エレメント１６と係合し、それをそこでロックピン１７がロアーレール４から離脱する解放位置中にずらす。
【００３１】
クロスチューブ１１の回転の動きに結果としてなる作動レバー１０の作動の動きの、ドア側のトラックのペア２に付与されたロック装置１５までの転送は、制御レバー１８を介して行われる。それは、クロスチューブ１１から、ドア側のトラックのペア２に付与されたロック装置１５の作動エレメント１６との係合エリア中にまで、ドア側のトラックのペア２のエリア中で伸びる。作動レバー１０の作動によってもたらされたクロスチューブ１１の回転の動きの結果として、ドア側のトラックのペア２に付与されたロック装置１５のロックピン１７のロアーレール４との離脱位置中への調節も、制御レバー１８の作動エレメント１６との相互作用を通して行われる。それから両ロック装置１５上で行われた開放位置中への調節の結果として、ロアーレール４に対するアッパーレール５のずらしを通して、座席表面１２の縦方向の調節が可能である。所望の縦方向の調節に達した後、ロック装置１５は、好ましくは作動レバー１０のもはや存在しない作動の結果としてばねで予め付勢されて、それらのロック位置に到達する。
【００３２】
載置結合７ａ、７ｂ、８ａ、８ｂを介して高さ調節可能な、座席表面１２の最大限下げられた位置の固定のために、ドア側のトラックのペア２のフロント載置結合７ａは、フロント載置結合ホルダー６ａと接続され、クロスチューブ１１が、フロント載置結合７ａの旋回レンジ中に位置するようになっている。座席表面１２の最大限下げられた位置は、クロスチューブ１１上に当接するフロント載置結合７ａによって決定され、この位置において、載置結合７ａの接触表面２２はクロスチューブ１１上によりかかる。接触表面２２はそれにより、クロスチューブ１１上での２次元的当接を確立するためのその輪郭に調節される（図３から５参照）。
【図１】
0005538624.tif 000002
【図２】
0005538624.tif 000003
【図３】
0005538624.tif 000004
【図４】
0005538624.tif 000005
【図５】
0005538624.tif 000006
【図６】
0005538624.tif 000007
【図７】
0005538624.tif 000008